(57)【特許請求の範囲】
【請求項１】
駒（１０）に形成した環状段部（２２）を下部に配したテーパー孔（２１）に、筆毛（４０）を揃えて挿入したところのテーパー案内管（３０）を嵌合させる第１工程、駒（１０）を上下方向に振動（Ｔ）させて、環状段部（２２）に沿って筆毛（４０）の穂先を揃える第２工程、テーパー孔（２１）からテーパー案内管（３０）ごと取出した筆毛（４０）をふのり液（７０）の中に浸漬する第３工程、ふのり液（７０）から取出し、乾燥し、テーパー案内管（３０）から外す第４工程、さらに筆毛（４０）の基部の不要部分（４１）を切断（Ｗ）後、基端部（４２）を口金（６０）の下部に嵌合し、口金（６０）の上方から注入した接着剤（７１）により固着する第５工程、口金（６０）の上部を筆軸（５０）に嵌合固定する第６工程よりなることを特徴とする筆の製造方法。
【発明の詳細な説明】
【０００１】
【発明の属する技術分野】
本発明は、穂先を容易に揃えることが可能であり、それに要する手間・コストを低減することが出来る筆の製造方法に関するものである。
【０００２】
【従来の技術】
従来の筆の製造方法とし、図１に示すように、筆毛４０の穂先を揃えるための２次曲線状底２７を有するテーパー孔２１を設けた駒１０を用いた、次の手順よりなるものが行なわれている。すなわち、先ず駒１０のテーパー孔２１に筆毛４０を装填し、底２７に沿って穂先を揃えたうえ、基端部を糸４５で縛る。次いで糸４５で縛った筆毛４０をテーパー孔２１から矢印Ａに示す如く取出し、矢印Ｂに示す如く下を細くした口金６５に挿入したうえ、その口金６５を介して筆軸（図示省略）に固定する。
【０００３】
しかしながら、上記従来の筆の製造方法によって得られた筆は、基端部は糸４５及び筆軸に固定されているが、穂先がばらばらであり、揃い難く、商品として満足する状態まで揃えるのに多大の手間が掛り、コスト高となることであって、本発明は、穂先を揃える手間及びそれに要するコストを削減した筆の製造方法を提供するものである。
【０００４】
【課題を解決するための手段】
上記目的を達成するために、本発明に係る筆の製造方法は、図２乃至図７に示す如く、駒１０に形成した環状段部２２を下部に配したテーパー孔２１に、筆毛４０を揃えて挿入したところのテーパー案内管３０を嵌合させる第１工程、駒１０を上下方向に振動Ｔさせて、環状段部２２に沿って筆毛４０の穂先を揃える第２工程、テーパー孔２１からテーパー案内管３０ごと取出した筆毛４０をふのり液７０の中に浸漬する第３工程、ふのり液７０から取出し、乾燥し、テーパー案内管３０から外す第４工程、さらに筆毛４０の基部の不要部分４１を切断Ｗ後、基端部４２を口金６０の下部に嵌合し、口金６０の上方から注入した接着剤７１により固着する第５工程、口金６０の上部を筆軸５０に嵌合固定する第６工程よりなるものである。
【０００５】
本発明によれば、駒１０の振動に伴って、テーパー案内管３０に導かれながら筆毛４０が振動Ｔするため、再配列が進行し、最も安定した状態に再配列され、穂先が環状段部２２の先端に沿って揃えられる。また、テーパー案内管３０内に揃えられた状態のままで、筆毛４０がふのり液７０に浸漬されるため、揃えられた状態がそのままで固定される。従って、筆毛４０の穂先がばらばらになることはなく、商品として満足する状態に揃えるために要する手間、コストが著しく低減される。
【０００６】
【発明の実施の形態】
本発明の実施の形態例について、図２乃至図７により説明する。先ず筆の製造に使用する器具について説明すると、図２及び図３において、１０は木・プラスチック・金属等の剛体製円柱状の駒であって、下部に環状段部２２を配した、筆毛の穂先を揃えるためのテーパー孔２１を設けてある。図４において、３０は下を細くしたテーパー案内管であって、上口から筆毛４０を揃えて挿入するものである。なお、筆毛４０は獣毛やテーパードナイロン（化繊）よりなる。
【０００７】
次に筆の製造手順について説明する。図４に示すように、テーパー案内管３０の上口から筆毛４０を揃えて挿入し、下口に筆毛４０の穂先を合わせる。次いでその筆毛４０を挿入したテーパー案内管３０を、矢印Ｃに示す如く駒１０のテーパー孔２１に挿入し、嵌合させる。なお、テーパー案内管３０の嵌合時、その下端が環状段部２２の最上段に到達するよう構成してある。環状段部２２によって筆毛４０を適正高さ，適正姿勢に保持したうえ、駒１０を上下方向に振動Ｔさせて（台１５に向って繰返し叩いて）、駒１０に対してテーパー案内管３０を上下左右に踊らすと共に、テーパー案内管３０に対して筆毛４０も踊らすことにより、環状段部２２に沿って筆毛４０の穂先を揃える。
【０００８】
テーパー孔２１からテーパー案内管３０ごと取出した筆毛４０の先端部を図５に示すようにふのり液７０の中に浸漬する。そうすることにより、ふのり液７０は、筆毛４０の毛細管作用も加えて、浸漬液面よりも高く、筆毛４０内に浸透上昇する。テーパー案内管３０ごとふのり液７０から取出した筆毛４０を乾燥したあと矢印Ｄに示す如くテーパー案内管３０から外す。図６に示すように、基部の不要部分４１を切断Ｗした筆毛４０の基端部４２を図７に示す如く口金６０の下部に嵌合し、口金６０の上方から注入した接着剤７１により固着してから、口金６０の上部を筆軸５０に嵌合固定する。必要に応じて、筆毛４０の先端部に付着したふのりを水洗又はバフ掛けによって除去する。
【０００９】
作用について説明すると、本発明によれば、駒１０の振動Ｔに伴って、筆毛４０が振動するため、再配列が進行し、最も安定した状態に再配列され、穂先が環状段部２２の先端に沿って揃えられる。また、テーパー案内管３０内に揃えられた状態のままで、筆毛４０がふのり液７０に浸漬されるため、揃えられた状態がそのままで固定される。従って、筆毛４０の穂先がばらばらになることはなく、商品として満足する状態に揃えるために要する手間、コストが著しく低減される。
【００１０】
【発明の効果】
本発明は以上のように構成されるため、穂先を揃える手間及びそれに要するコストを、従来例に比較して著しく削減することが出来る。
【図面の簡単な説明】
【図１】  従来例を示す断面図である。
【図２】  本発明の実施の形態例に使用する駒を示す断面図である。
【図３】  図２の平面図である。
【図４】  本発明の実施の形態例の第１及び第２工程を示す断面図である。
【図５】  本発明の実施の形態例の第３工程を示す断面図である。
【図６】  本発明の実施の形態例の第４及び第５工程を示す断面図である。
【図７】  本発明の実施の形態例の第５及び第６工程を示す断面図である。
【符号の説明】
１０      駒
１５      台
２１      テーパー孔
２２      環状段部
２３      底
２７      底
３０      テーパー案内管
４０      筆毛
４１      不要部分
４２      基端部
４５      糸
５０      筆軸
６０      口金
６５      口金
７０      ふのり液
７１      接着剤
Ｔ        振動
Ｗ        切断線
【図１】
0003697676.tif 000002
【図２】
0003697676.tif 000003
【図３】
0003697676.tif 000004
【図４】
0003697676.tif 000005
【図５】
0003697676.tif 000006
【図６】
0003697676.tif 000007
【図７】
0003697676.tif 000008